(57)【要約】【課題】読取口に対して傾く読取対象を良好に読み取り可能な光学的情報読取装置を提供する。【解決手段】光学的情報読取装置１０は、照明光Ｌｆを出射する照明光源２１ａと、この照明光源２１ａからの照明光Ｌｆを読取口１３を介し読取対象に向けて照射する照明レンズ２２ａと、読取対象にて反射する反射光Ｌｒを読取口１３を介し受光する受光センサ２８と、を備えている。そして、読取口１３に対する照明レンズ２２ａの角度および受光センサ２８の角度を、連動して変更可能な角度変更機構５０が設けられている。【選択図】図２
2011043944.tif 000002
【特許請求の範囲】
【請求項１】
照明光を出射する光源と、
前記光源からの前記照明光を読取口を介し読取対象に向けて照射する照明レンズと、
前記読取対象にて反射する反射光を前記読取口を介し受光する受光手段と、
を備える光学的情報読取装置であって、
前記読取口に対する前記照明レンズの角度および前記受光手段の角度を、連動して変更可能な角度変更手段を備えることを特徴とする光学的情報読取装置。
【請求項２】
前記角度変更手段は、
前記受光手段のうち前記照明レンズに対して近接する近接端部に一端側が相対回動可能に連結する第１リンクと、
前記照明レンズのうち前記受光手段に対して離間する離間端部に一端側が相対回動可能に連結する第２リンクと、
前記第１リンクの他端側および前記第２リンクの他端側を相対回動可能に連結する連結軸と、
を備え、
前記受光手段は、前記近接端部よりも前記照明レンズに対して離間する側にて前記読取口に対して傾動可能に支持され、
前記照明レンズは、前記離間端部よりも前記受光手段に対して近接する側にて前記読取口に対して傾動可能に支持されることを特徴とする請求項１に記載の光学的情報読取装置。
【請求項３】
前記角度変更手段は、
前記読取口に対して前記照明レンズおよび前記受光手段が平行になる場合の前記連結軸および前記読取口の間の距離を基準距離とするとき、前記連結軸および前記読取口の間の距離を前記基準距離から小さく調整するように当該連結軸を移動可能な調整手段と、
前記連結軸および前記読取口の間の距離を前記基準距離に近づけるように、前記第１リンク、前記第２リンク、前記連結軸および前記調整手段の少なくともいずれか１つを付勢する付勢手段と、を備えることを特徴とする請求項２に記載の光学的情報読取装置。
【発明の詳細な説明】
【技術分野】
【０００１】
本発明は、光学的情報読取装置に関するものである。
【背景技術】
【０００２】
従来、光学的情報読取装置に関する技術として、下記特許文献１に示す光学的情報読取装置が知られている。この光学的情報読取装置は、結像レンズをその光軸方向に移動させてイメージセンサに結像させる対物距離を変化させるレンズ移動用つまみと、結像レンズの位置に応じて変化する対物距離で重複する点照明をなす２つの指示用ＬＥＤと、結像レンズの移動に伴って両指示用ＬＥＤの光軸を移動させるＬＥＤ移動機構とを備えている。
【０００３】
そして、開口部の長さよりも長いバーコードを読み取る場合には、レンズ移動用つまみの操作に応じて結像レンズを開口部から離間する方向に移動させるとともに両指示用ＬＥＤをその光軸が開くように移動させる。これにより、バーコード上にて両指示用ＬＥＤの点照明が重複する位置まで装置本体を移動させるとき、開口部を介した反射光が結像レンズによってイメージセンサ上で焦点が合うので、この状態で読取開始スイッチを操作することでバーコードを読み取っている。
【先行技術文献】
【特許文献】
【０００４】
【特許文献１】特開昭６３−６７６９２号公報
【発明の概要】
【発明が解決しようとする課題】
【０００５】
ところで、上記特許文献１に記載の発明では、読取光軸に対して垂直に位置するバーコードなどの読取対象を結像する場合、すなわち、照射光および反射光が入出する読取口が読取対象に対して平行である場合には、結像した像に歪みが少ないために、誤りなくデコードすることができる。しかしながら、読取対象が読取光軸に対して垂直に位置しない場合、すなわち、読取口が読取対象に対して傾く場合、照明光が読取対象に効率よく照射されないことから結像した像に歪みが大きく影響すると、誤ってデコードされるか、デコードが失敗する原因となっていた。
【０００６】
本発明は、上述した課題を解決するためになされたものであり、その目的とするところは、読取口に対して傾く読取対象を良好に読み取り可能な光学的情報読取装置を提供することにある。
【課題を解決するための手段】
【０００７】
上記目的を達成するため、特許請求の範囲に記載の請求項１の光学的情報読取装置では、照明光を出射する光源と、前記光源からの前記照明光を読取口を介し読取対象に向けて照射する照明レンズと、前記読取対象にて反射する反射光を前記読取口を介し受光する受光手段と、を備える光学的情報読取装置であって、前記読取口に対する前記照明レンズの角度および前記受光手段の角度を、連動して変更可能な角度変更手段を備えることを特徴とする。
【０００８】
請求項２の発明は、請求項１に記載の光学的情報読取装置において、前記角度変更手段は、前記受光手段のうち前記照明レンズに対して近接する近接端部に一端側が相対回動可能に連結する第１リンクと、前記照明レンズのうち前記受光手段に対して離間する離間端部に一端側が相対回動可能に連結する第２リンクと、前記第１リンクの他端側および前記第２リンクの他端側を相対回動可能に連結する連結軸と、を備え、前記受光手段は、前記近接端部よりも前記照明レンズに対して離間する側にて前記読取口に対して傾動可能に支持され、前記照明レンズは、前記離間端部よりも前記受光手段に対して近接する側にて前記読取口に対して傾動可能に支持されることを特徴とする。
【０００９】
請求項３の発明は、請求項２に記載の光学的情報読取装置において、前記角度変更手段は、前記読取口に対して前記照明レンズおよび前記受光手段が平行になる場合の前記連結軸および前記読取口の間の距離を基準距離とするとき、前記連結軸および前記読取口の間の距離を前記基準距離から小さく調整するように当該連結軸を移動可能な調整手段と、前記連結軸および前記読取口の間の距離を前記基準距離に近づけるように、前記第１リンク、前記第２リンク、前記連結軸および前記調整手段の少なくともいずれか１つを付勢する付勢手段と、を備えることを特徴とする。
【発明の効果】
【００１０】
請求項１の発明では、読取口に対する照明レンズの角度および受光手段の角度を、連動して変更可能な角度変更手段が設けられている。これにより、作業環境等のために読取口が読取対象に対して傾く場合であっても、この傾き度合に応じて角度変更手段により読取口に対する照明レンズの角度および受光手段の角度を連動して変更することで、照明レンズを介する照明光を読取対象に効率よく照射するとともに、読取口を介する読取対象からの反射光を受光手段に効率よく受光させることができる。
したがって、読取口に対して傾く読取対象を良好に読み取ることができる。
【００１１】
請求項２の発明では、角度変更手段は、受光手段の上記近接端部に一端側が相対回動可能に連結する第１リンクと、照明レンズの上記離間端部に一端側が相対回動可能に連結する第２リンクと、第１リンクの他端側および第２リンクの他端側を相対回動可能に連結する連結軸と、を備えている。そして、受光手段は、上記近接端部よりも照明レンズに対して離間する側にて読取口に対して傾動可能に支持され、照明レンズは、上記離間端部よりも受光手段に対して近接する側にて読取口に対して傾動可能に支持される。
【００１２】
これにより、連結軸を所定の方向に移動させるように両リンクを変動させることで、照明レンズの照射方向と受光手段の受光方向とが同じ方向に変化するように照明レンズの角度および受光手段の角度が連動して変更するので、角度変更手段を簡易な機構にて構成することができる。
【００１３】
請求項３の発明では、角度変更手段は、連結軸および読取口の間の距離を上記基準距離から小さく調整するように当該連結軸を移動可能な調整手段と、連結軸および読取口の間の距離を上記基準距離に近づけるように、第１リンク、第２リンク、連結軸および調整手段の少なくともいずれか１つを付勢する付勢手段と、を備えている。
【００１４】
これにより、読取口が読取対象に対して傾いていることから照明レンズおよび受光手段を読取口に対して傾動させる場合には、調整手段を操作して読取対象に対する傾き度合に応じて連結軸を移動させることで、当該読取対象を良好に読み取ることができる。また、調整手段を操作しない場合には、付勢手段による付勢力に応じて各部材が上記基準距離に対応する位置に位置することとなるので、使用頻度が比較的高い場合である読取口に対して平行な読取対象を読み取る場合では、調整手段による特別な操作をなくすことができる。
【図面の簡単な説明】
【００１５】
【図１】第１実施形態に係る光学的情報読取装置１０の電気的構成を示すブロック図である。
【図２】角度変更機構５０の構成を概念的に示す説明図である。
【図３】図３（Ａ）は、読取口１３がバーコードＢと平行であるときの照明レンズ２２ａおよび受光センサ２８の基準状態を示す説明図であり、図３（Ｂ）は、読取口１３がバーコードＢと平行でないときの照明レンズ２２ａおよび受光センサ２８の傾動状態を示す説明図である。
【図４】図４（Ａ）および図４（Ｂ）は、名札ＮのバーコードＢを読み取る読取作業を概略的に示す正面図および上面図であり、図４（Ｃ）は、読取口１３とバーコードＢとの位置関係を概略的に示す上面図である。
【図５】角度変更機構５０の機構を説明するための説明図であり、図５（Ａ）は、基準状態を示し、図５（Ｂ）は、傾動状態を示す。
【図６】第２実施形態に係る光学的情報読取装置１０ａの構成を示す概略斜視図である。
【図７】読取作業を行うコンベヤベルトＶ上に配置される定置式の光学的情報読取装置の配置状態を示す説明図であって、図７（Ａ）は、第２実施形態の光学的情報読取装置１０ａの配置状態を示し、図７（Ｂ）は、従来技術の光学的情報読取装置１００の配置状態を示す。
【発明を実施するための形態】
【００１６】
［第１実施形態］
以下、本発明の光学的情報読取装置を具現化した第１実施形態について、図面を参照して説明する。
図１に示すように、光学的情報読取装置１０は、対象物に表示された読取対象であるバーコードや二次元コード等の情報コードを光学的に読み取る携帯型の読取装置として構成されている。この光学的情報読取装置１０は、筐体１１の内部に回路部２０が収容されてなるものであり、回路部２０は、主に、照明光源２１ａ，２１ｂ、照明レンズ２２ａ，２２ｂ、受光センサ２８、結像レンズ２７等の光学系と、メモリ３５、制御回路４０、発光部４３、ブザー４４、バイブレータ４５等のマイクロコンピュータ（以下「マイコン」という）系と、から構成されている。
【００１７】
光学系は、投光光学系と、受光光学系とに分かれている。投光光学系は、例えば赤色のＬＥＤのように照明光Ｌｆを出射可能な照明光源２１ａ，２１ｂと、これら両照明光源２１ａ，２１ｂからの照明光Ｌｆを読取口１３を介し読取対象に向けて照射する照明レンズ２２ａ，２２ｂなどによって構成されている。ここで、両照明レンズのうちの一方、具体的には照明レンズ２２ａは、後述するように読取口１３に対して傾動可能に筐体１１に支持されている。なお、図１では、バーコードＢが表示された対象物Ｒに向けて照明光Ｌｆを照射する例を概念的に示している。また、照明光源２１ａは、特許請求の範囲に記載の「光源」の一例に相当し、照明レンズ２２ａは、特許請求の範囲に記載の「照明レンズ」の一例に相当に相当し得るものである。
【００１８】
受光光学系は、受光センサ２８、結像レンズ２７、反射鏡（図示略）などによって構成されている。受光センサ２８は、ＣＣＤエリアセンサとして構成されるものであり、バーコードＢまたは対象物Ｒに照射されて反射した反射光Ｌｒを受光可能に構成されている。この受光センサ２８は、結像レンズ２７を介して入射する入射光を受光可能にプリント配線板（図示略）に実装されている。ここで、受光センサ２８は、実装されるプリント配線板とともに、後述するように読取口１３に対して傾動可能に筐体１１に支持されている。なお、受光センサ２８は、特許請求の範囲に記載の「受光手段」の一例に相当し得るものである。
【００１９】
結像レンズ２７は、外部から読取口１３を介して入射する入射光を集光して受光センサ２８の受光面２８ａに像を結像可能な結像光学系として機能するものである。本第１実施形態では、照明光源２１から照射された照明光ＬｆがバーコードＢにて反射した後、この反射光Ｌｒを結像レンズ２７で集光し、受光センサ２８の受光面２８ａにコード像を結像させている。
【００２０】
マイコン系は、増幅回路３１、Ａ／Ｄ変換回路３３、メモリ３５、アドレス発生回路３６、同期信号発生回路３８、制御回路４０、発光部４３、ブザー４４、バイブレータ４５、通信インタフェース４８等から構成されている。
【００２１】
光学系の受光センサ２８から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、メモリ３５に入力されると、所定のコード画像情報格納領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２２】
制御回路４０は、光学的情報読取装置１０全体を制御可能なマイコンで、ＣＰＵ、システムバス、入出力インタフェース等からなるもので、メモリ３５とともに情報処理装置を構成し得るもので情報処理機能を有する。この制御回路４０は、内蔵された入出力インタフェースを介して種々の入出力装置と接続可能に構成されており、本第１実施形態の場合、発光部４３、ブザー４４、バイブレータ４５、通信インタフェース４８等が接続されている。
【００２３】
これにより、制御回路４０は、例えば、バーコードＢの読み取りに関する情報を通知するインジケータとして機能する発光部４３の点灯・消灯、ビープ音やアラーム音を発生可能なブザー４４の鳴動のオンオフ、さらには当該バーコードリーダ１０の使用者に伝達し得る振動を発生可能なバイブレータ４５の駆動制御や外部装置とのシリアル通信を可能にする通信インタフェース４８の通信制御等を可能にしている。なお、通信インタフェース４８に接続される外部装置には、当該バーコードリーダ１０の上位システムに相当するホストコンピュータ等が含まれる。
【００２４】
また、図２に示すように、光学的情報読取装置１０は角度変更機構５０を備えており、この角度変更機構５０は、筐体１１内にて、読取口１３に対する照明レンズ２２ａの角度および受光センサ２８の角度を、連動して変更するように構成されている。なお、図２は、角度変更機構５０の機構を説明するため、説明の便宜上、角度変更機構５０に関連しない部材を省略するか二点鎖線にて概念的に示す。また、角度変更機構５０は、特許請求の範囲に記載の「角度変更手段」の一例に相当し得るものである。
【００２５】
ここで、読取口１３に対する照明レンズ２２ａの角度および受光センサ２８の角度を連動して変更する理由について図３および図４を用いて説明する。
図３（Ａ）に示すように、読取口１３が読取対象としてのバーコードＢに対して平行である場合には、受光センサ２８にて結像した像に歪みが少ないために、誤りなくデコードすることができる。
【００２６】
一方、例えば、図４（Ａ）〜（Ｃ）に示すように、コンビニエンスストアー等の小売店における店員などの使用者が左胸につけた名札ＮのバーコードＢを読み取る場合には、読取口１３を名札Ｎに対して平行にすることが困難である。これは、元々使用者の前にある読取対象を読み取るべく光学的読取装置が設計されているために、使用者は、手首等をひねり無理な体勢で読取口１３を名札Ｎに向けて読取作業をする必要があるからである。このため、照明光をバーコードＢに効率よく照射されないことから受光センサ２８にて結像した像に歪みが大きく影響することから、誤ってデコードするか、デコードが失敗する可能性が高くなってしまう。
【００２７】
そこで、図３（Ｂ）に示すように、読取口１３が読取対象としてのバーコードＢに対して傾く場合では、読取口１３に対する照明レンズ２２ａの角度および受光センサ２８の角度を連動して変更することにより、照明レンズ２２ａを介する照明光ＬｆをバーコードＢに効率よく照射するとともに、読取口１３を介するバーコードＢからの反射光Ｌｒを受光センサ２８に効率よく受光させることができる。
【００２８】
以下、本発明の特徴的機構である角度変更機構５０の構成について詳細に説明する。
図２および図５に示すように、角度変更機構５０は、第１リンク５１と、第２リンク５２と、連結軸５３と、調整スイッチ５４と、を備えている。第１リンク５１は、受光センサ２８のうち照明レンズ２２ａに対して近接する近接端部２８ｂに一端側５１ａが相対回動可能に連結されている。第２リンク５２は、照明レンズ２２ａのうち受光センサ２８に対して離間する離間端部２２ｃに一端側５２ａが相対回動可能に連結されている。そして、第１リンク５１の他端側５１ｂおよび第２リンク５２の他端側５２ｂが連結軸５３により相対回動可能に連結されている。
【００２９】
受光センサ２８は、近接端部２８ｂよりも照明レンズ２２ａに対して離間する側にて読取口１３に対して傾動可能に筐体１１に支持されている。また、照明レンズ２２ａは、離間端部２２ｃよりも受光センサ２８に対して近接する側にて読取口１３に対して傾動可能に筐体１１に支持されている。
【００３０】
図５（Ａ）に示すように、読取口１３に対して照明レンズ２２ａおよび受光センサ２８が平行になる状態（以下、基準状態という）において連結軸５３および読取口１３の間の離間距離Ｘを基準距離Ｘｏとするとき、連結軸５３は、離間距離Ｘが基準距離Ｘｏよりも小さくなる方向（読取口方向という：図５中のα方向）に移動可能に支持されている。この連結軸５３の読取口方向への移動により、図５（Ｂ）に示すように、両リンク５１，５２が傾動して照明レンズ２２ａの照射方向と受光センサ２８の受光方向とが同じ方向に変化するように照明レンズ２２ａの角度および受光センサ２８の角度が連動して変更することとなる。
【００３１】
調整スイッチ５４は、連結軸５３を読取口方向に移動させるための押しボタン式のスイッチであって、ボタン部５４ａが筐体側面外方に露出し、軸部５４ｂが筐体１１内に進入するように構成されている。軸部５４ｂは、端面５４ｃが先端ほど読取口１３から離間するように傾斜して形成されており、この端面５４ｃにて連結軸５３に接触するように配置されている。なお、調整スイッチ５４は、特許請求の範囲に記載の「調整手段」の一例に相当し得るものである。
【００３２】
これにより、ボタン部５４ａの押圧操作に応じて軸部５４ｂが押圧方向（図２中のβ方向）に移動すると、連結軸５３が端面５４ｃにて案内されて読取口方向（図２中のα方向）に移動することとなる。
【００３３】
そして、連結軸５３には、当該連結軸５３を読取口方向と反対方向に付勢するコイルばね５５ａが設けられており、調整スイッチ５４には、当該調整スイッチ５４を押圧方向と反対方向に付勢するコイルばね５５ｂが設けられている。すなわち、これら両コイルばね５５ａ，５５ｂは、角度変更機構５０を構成する各部材を所定の方向に付勢することで、連結軸５３および読取口１３の間の離間距離Ｘを上記基準距離Ｘｏに近づけるように構成されている。なお、コイルばね５５ａ，５５ｂは、特許請求の範囲に記載の「付勢手段」の一例に相当し得るものである。
【００３４】
次に、このように構成される光学的情報読取装置１０を用いた読取作業について説明する。
照明レンズ２２ａ，２２ｂを介した照明光源２１ａ，２１ｂからの照明光Ｌｆが読取口１３を介して照射されているとき、読取口１３を読取対象であるバーコードＢに近づけると、このバーコードＢからの反射光Ｌｒが、読取口１３および結像レンズ２７を介して受光センサ２８にて受光される。この段階では、使用者は調整スイッチ５４を操作していないことから、照明レンズ２２ａおよび受光センサ２８は基準状態に位置している。
【００３５】
このとき、読取口１３が、バーコードＢが表示された対象物Ｒに対して平行になる場合には、受光センサ２８にて結像した像に歪みが少ないために、誤りなくデコードされ、デコード成功を報知するための発光部４３の点灯やブザー４４の鳴動等がなされる。
【００３６】
一方、読取口１３が、バーコードＢが表示された対象物Ｒに対して傾いていることからデコードが成功しない場合には、発光部４３やブザー４４等によるデコード成功が報知されることもない。このため、使用者は、デコード成功させるために、調整スイッチ５４のボタン部５４ａをコイルばね５５ｂの付勢力に抗して押圧操作する。このボタン部５４ａの押圧操作により軸部５４ｂが押圧方向へ徐々に移動することで、連結軸５３が、端面５４ｃにて案内されて、コイルばね５５ａの付勢力に抗して、読取口方向に徐々に移動する。
【００３７】
すると、この連結軸５３の読取口方向への移動に応じて、第１リンク５１および第２リンク５２が徐々に変動し、照明レンズ２２ａの照射方向と受光センサ２８の受光方向とが連動して同じ方向に徐々に変化する。このような調整スイッチ５４の操作に応じて照射方向および受光方向が徐々に変化するうちに受光センサ２８にて受光した結像した像の歪みが少なくなると、デコードが成功する。
【００３８】
これにより、読取口１３が、バーコードＢが表示された対象物Ｒに対して傾く場合であっても、調整スイッチ５４を操作して照明レンズ２２ａの照射方向と受光センサ２８の受光方向とを連動して同じ方向に変化させることで、誤ったデコードやデコードの失敗を抑制することができる。
【００３９】
そして、デコード成功を報知するために発光部４３の点灯やブザー４４の鳴動等がなされると、デコード成功を認識した使用者が調整スイッチ５４のボタン部５４ａの押圧操作をやめることとなる。これにより、両コイルばね５５ａ，５５ｂの付勢力により角度変更機構５０を構成する各部材と照明レンズ２２ａおよび受光センサ２８とを、特別な操作をする必要もなく基準状態にすることができる。
【００４０】
以上説明したように、本第１実施形態に係る光学的情報読取装置１０では、読取口１３に対する照明レンズ２２ａの角度および受光センサ２８の角度を、連動して変更可能な角度変更機構５０が設けられている。これにより、読取口１３が読取対象に対して傾く場合であっても、この傾き度合に応じて角度変更機構５０により読取口１３に対する照明レンズ２２ａの角度および受光センサ２８の角度を連動して変更することで、照明レンズ２２ａを介する照明光Ｌｆを読取対象に効率よく照射するとともに、読取口１３を介する読取対象からの反射光Ｌｒを受光センサ２８に効率よく受光させることができる。
したがって、読取口１３に対して傾く読取対象を良好に読み取ることができる。
【００４１】
また、本第１実施形態に係る光学的情報読取装置１０では、角度変更機構５０は、受光センサ２８の近接端部２８ｂに一端側５１ａが相対回動可能に連結する第１リンク５１と、照明レンズ２２ａの上記離間端部２２ｃに一端側５２ａが相対回動可能に連結する第２リンク５２と、第１リンク５１の他端側５１ｂおよび第２リンク５２の他端側５２ｂを相対回動可能に連結する連結軸５３と、を備えている。そして、受光センサ２８は、近接端部２８ｂよりも照明レンズ２２ａに対して離間する側にて読取口１３に対して傾動可能に支持され、照明レンズ２２ａは、離間端部２２ｃよりも受光センサ２８に対して近接する側にて読取口１３に対して傾動可能に支持される。
【００４２】
これにより、連結軸５３を読取口方向に移動させるように両リンク５１，５２を変動させることで、照明レンズ２２ａの照射方向と受光センサ２８の受光方向とが同じ方向に変化するように照明レンズ２２ａの角度および受光センサ２８の角度が連動して変更するので、角度変更機構５０を簡易な機構にて構成することができる。
【００４３】
さらに、本第１実施形態に係る光学的情報読取装置１０では、角度変更機構５０は、連結軸５３および読取口１３の間の離間距離Ｘを基準距離Ｘｏから小さく調整するように当該連結軸５３を移動可能な調整スイッチ５４と、離間距離Ｘを基準距離Ｘｏに近づけるように、連結軸５３および調整スイッチ５４をそれぞれ付勢するコイルばね５５ａ，５５ｂと、を備えている。
【００４４】
これにより、読取口１３が読取対象に対して傾いていることから照明レンズ２２ａおよび受光センサ２８を読取口１３に対して傾動させる場合には、調整スイッチ５４を操作して読取対象に対する傾き度合に応じて連結軸５３を移動させることで、当該読取対象を良好に読み取ることができる。また、調整スイッチ５４を操作しない場合には、コイルばね５５ａ，５５ｂによる付勢により各部材が上記基準距離Ｘｏに対応する位置に位置するので、使用頻度が比較的高い場合である読取口１３に対して平行な読取対象を読み取る場合では、調整スイッチ５４による特別な操作をなくすことができる。
【００４５】
［第２実施形態］
次に、本発明の光学的情報読取装置を具現化した第２実施形態について図６および図７を用いて説明する。
本第２実施形態に係る光学的情報読取装置１０ａでは、上記第１実施形態のように携帯型の読取装置と異なり、定置式の読取装置として構成されるものである。
【００４６】
この光学的情報読取装置１０ａは、図６に示すように、筐体１１ａの底面の一部に読取口１３ａが設けられており、筐体１１ａ内に配置される照明光源２１ａ，２１ｂからの照射光Ｌｆが照明レンズ２２ａ，２２ｂおよび読取口１３ａを介して読取対象に向けて照射されるように構成されている。そして、光学的情報読取装置１０ａは、読取対象にて反射された反射光Ｌｒが読取口１３ａおよび結像レンズ２７を介して受光センサ２８に受光されることで、読取対象を光学的に読み取るように構成されている。
【００４７】
本第２実施形態における照明レンズ２２ａおよび受光センサ２８は、上記第１実施形態と同様に、角度変更機構５０ａにより、読取口１３ａに対するそれぞれの角度が連動して変更するように構成されている。この角度変更機構５０ａは、上記角度変更機構５０に対して、調整スイッチ５４に代えて調整レバー５４ａを採用するとともに、コイルばね５５ａ，５５ｂを廃止するように構成されている。
【００４８】
調整レバー５４ａは、その端部が筐体１１ａ内にて連結軸５３に直接連結されており、当該調整レバー５４ａを把持して上下方向（図６中のγ方向）に移動させることで連結軸５３と読取口１３ａとの離間距離Ｘを変更するように構成されている。これにより、調整レバー５４ａの操作に応じて離間距離Ｘを変更することで、読取口１３ａに対する照明レンズ２２ａの角度および受光センサ２８の角度を、連動して変更することができる。
【００４９】
また、調整レバー５４ａは、ねじなどにより筐体１１ａに固定可能に構成されているため、読取口１３ａに対する照明レンズ２２ａの角度および受光センサ２８の角度が、特別な操作をすることなく、常に維持されることとなる。なお、図６は、角度変更機構５０ａの機構を説明するため、説明の便宜上、角度変更機構５０ａに関連しない部材を省略するか二点鎖線にて概念的に示す。
【００５０】
このように構成される本第２実施形態の光学的情報読取装置１０ａの作用効果について以下に説明する。
従来の読取装置１００では、図７（Ｂ）に例示するように、コンベヤベルトＶにて輸送中の製品Ｒに表示されるバーコードＢなど、常に同じ位置にくる読取対象を読み取る場合、設置場所に制限があることから、読取対象に対して読取口を平行に配置できない場合があった。また、読取口に対して平行でない読取対象を読み取る場合には、受光センサ２８により結像した像における歪みの影響を少なくするために読み取り速度が制約され、高速に読み取ることができず、作業効率が低下するという問題があった。
【００５１】
そこで、本第２実施形態では、調整レバー５４ａの操作に応じて読取口１３ａに対する照明レンズ２２ａの角度および受光センサ２８の角度を変更可能であってその角度を維持可能に構成されている。このため、図７（Ａ）に例示するように、設置場所に応じて読取口１３ａに対する照明レンズ２２ａの角度および受光センサ２８の角度を変更することで、照明レンズ２２ａを介する照明光Ｌｆを読取対象に効率よく照射するとともに、読取口１３ａを介する読取対象からの反射光Ｌｒを受光センサ２８に効率よく受光させることができる。
したがって、読取対象に対して読取口１３ａが傾斜するように配置される場合であっても当該読取対象を良好に読み取ることができる。
【００５２】
なお、本発明は上記実施形態に限定されるものではなく、以下のように具体化してもよく、その場合でも、上記実施形態と同等の作用・効果が得られる。
（１）調整スイッチ５４は、端面５４ｃの案内により連結軸５３を読取口方向に移動させることに限らず、連結軸５３に直接連結されて当該連結軸５３を読取口方向にスライドさせるスライド式など、連結軸５３を読取口方向に移動可能な構成であればよい。
【符号の説明】
【００５３】
１０，１０ａ…光学的情報読取装置
１１，１１ａ…筐体
１３，１３ａ…読取口
２１ａ，２１ｂ…照明光源（光源）
２２ａ，２２ｂ…照明レンズ
２８…受光センサ（受光手段）
５０…角度変更機構（角度変更手段）
５１…第１リンク
５２…第２リンク
５３…連結軸
５４…調整スイッチ（調整手段）
５４ａ…調整レバー（調整手段）
５５ａ，５５ｂ…コイルばね（付勢手段）
Ｂ…バーコード（読取対象）
Ｌｆ…照明光
Ｌｒ…反射光
【図１】
2011043944.tif 000003
【図２】
2011043944.tif 000004
【図３】
2011043944.tif 000005
【図４】
2011043944.tif 000006
【図５】
2011043944.tif 000007
【図６】
2011043944.tif 000008
【図７】
2011043944.tif 000009